(57)【要約】  【課題】  駆除効率が高く作業性も良好な飛翔性害虫駆除装置を提供すること。【解決手段】  飛翔性害虫を誘引する光を発する発光源１０（蛍光灯１１）と、この発光源１０の周辺に配設された回転体２０（回転翼２２等）と、この回転体２０を回転駆動する駆動手段３０（電気モータ３１）とを備え、回転体２０が回転駆動された状態下で発光源１０に向かって飛んできた飛翔性害虫が当該回転体２０と接触した場合には、当該害虫は当該回転体２０の回転エネルギを受けて致命傷を負うように構成する。【選択図】      図１
2005253433.tif 000002
【特許請求の範囲】
【請求項１】
飛翔性害虫を誘引する光を発する発光源と、この発光源の周辺に配設された回転体と、この回転体を回転駆動する駆動手段とを備え、
前記回転体が回転駆動された状態下で前記発光源に向かって飛んできた飛翔性害虫が当該回転体と接触した場合には、当該害虫は当該回転体の回転エネルギを受けて致命傷を負うように構成された飛翔性害虫駆除装置。
【請求項２】
前記回転体が、前記駆動手段によって軸線を中心として回転駆動される回転軸と、この回転軸に基端部が固定された回転翼とから構成された請求項１記載の飛翔性害虫駆除装置。
【請求項３】
前記回転翼が、回転時には前記発光源に向かう空気流を発生する形態とされた請求項２記載の飛翔性害虫駆除装置。
【請求項４】
前記回転体が、前記駆動手段によって軸線を中心として回転駆動されるとともにその側面が粗く形成された回転板から成る請求項１記載の飛翔性害虫駆除装置。
【請求項５】
前記回転体が、前記駆動手段によって軸線を中心として回転駆動されるとともにその側面または外端面に複数の突起を設けた回転板から成る請求項１記載の飛翔性害虫駆除装置。
【請求項６】
前記回転体が、前記駆動手段によって軸線を中心として回転駆動される回転板と、この回転板の側面の所定部位に基端部が回転自在に取り付けられた回転翼とから構成された請求項１記載の飛翔性害虫駆除装置。
【請求項７】
前記回転体を覆いかつ飛翔性害虫の入口部を有するカバーが付設された請求項１〜６までのいずれか１項に記載の飛翔性害虫駆除装置。
【請求項８】
前記カバーに一端部が開口接続されており当該一端部から致命傷を負った飛翔性害虫を受け入れて他端部まで案内し当該他端部から虫廃棄場所へ排出可能な排出管を設けた請求項７記載の飛翔性害虫駆除装置。
【発明の詳細な説明】
【技術分野】
【０００１】
本発明は、カメムシ、シロアリ（羽アリ）、蛾等の走光性（正の走光性）を有する飛翔性害虫を駆除するのに使用される飛翔性害虫駆除装置に関する。
【背景技術】
【０００２】
カメムシ等の飛翔性害虫は、農作物などに深刻な被害を与えるところから、従来より駆除装置が種々開発されている（例えば、特許文献１参照）。
【０００３】
ここで、特許文献１には、飛翔性害虫を誘引する発光源の周囲に透明な粘着シートを配置した飛翔性害虫駆除装置が開示されている。
【特許文献１】特開平８−４７３６１号公報
【発明の開示】
【発明が解決しようとする課題】
【０００４】
ところで、特許文献１に開示された駆除装置では、粘着シートに蛾の鱗粉がついたり水や油などが付くと粘着性能が著しく低下してしまい、飛翔性害虫の駆除効率が大幅に低下することになる。また、粘着シートを交換する際に当該シートの一部が作業者の衣服や駆除装置の一部などに付いたりすることがあり、作業性が悪い欠点を有する。
【０００５】
本発明の目的は、駆除効率が高く作業性も良好な飛翔性害虫駆除装置を提供することにある。
【課題を解決するための手段】
【０００６】
本発明は、飛翔性害虫を誘引する光を発する発光源と、この発光源の周辺に配設された回転体と、この回転体を回転駆動する駆動手段とを備え、前記回転体が回転駆動された状態下で前記発光源に向かって飛んできた飛翔性害虫が当該回転体と接触した場合には、当該害虫は当該回転体の回転エネルギを受けて致命傷を負うように構成されたものである。
【０００７】
上記回転体としては、回転翼や回転板などが挙げられる。回転体を飛翔性害虫と接触する機会の多い発光源の周辺に配設し、回転体の有する回転エネルギを利用して当該回転体に接触した飛翔性害虫に致命傷を負わせる。
【０００８】
上記回転体を、飛翔性害虫の入口部を有するカバーで覆ってもよい。これにより、致命傷を負わせた飛翔性害虫が周囲に飛び散らずに、衛生的に駆除できる。また、後片付けが一段と楽になる。
【０００９】
また、例えば屋内に設置された回転体で致命傷を負わせた害虫を、排出管を利用して屋外の虫廃棄場所に排出してもよい。これにより、一段と衛生的に駆除できるとともに、後片付けがより一層楽になる。
【発明の効果】
【００１０】
請求項１の発明によれば、発光源の周辺に配設された回転体の回転エネルギを利用して飛翔性害虫に致命傷を負わせる構成であるので、仮に回転体に蛾の鱗粉や水・油などが付いても駆除性能は低下しない。また、回転体と接触した飛翔性害虫は回転体から跳ね飛ばされるので、当該回転体に害虫が付着することはなく、回転体の清掃を特別する必要はない。したがって、駆除効率が高く作業性も良好な飛翔性害虫駆除装置を提供することができる。
【００１１】
請求項２の発明によれば、回転体が、回転軸と、この回転軸に基端部が固定された回転翼とから構成されているので、容易に軽量化して高速回転を実現することができる。これにより、飛翔性害虫に与える回転エネルギを大きくできる。また、回転翼の回転半径を大きくしても、発光源から発せられる光を遮る量を極力小さく抑えることができる。したがって、飛翔性害虫の駆除効率を一段と高めることができる。
【００１２】
請求項３の発明によれば、回転翼が、回転時には発光源に向かう空気流を発生する形態とされているので、発光源に向かって飛んできた飛翔性害虫は、回転翼に吸い寄せられることになり、一段と回転翼に当たって致命傷を負う確率が高まることになる。そのため、一段と駆除効率が高く作業性も良好な飛翔性害虫駆除装置を提供することができる。
【００１３】
請求項４の発明によれば、回転体が、側面が粗く形成された回転板から成るので、請求項１の発明の場合と同様な作用・効果を奏し得る他、一段と構成を簡単化することができる。
【００１４】
請求項５の発明によれば、回転体が、側面または外端面に複数の突起を設けた回転板から成るので、回転体に設けられた突起によって飛翔性害虫に一段と大きな致命傷を負わせることができる。そのため、一段と駆除効率が高く作業性も良好な飛翔性害虫駆除装置を提供することができる。
【００１５】
請求項６の発明によれば、回転体が、回転板と、この回転板の側面の所定部位に基端部が回転自在に取り付けられた回転翼とから構成されているので、一段と駆除効率が高く作業性も良好な飛翔性害虫駆除装置を提供することができる。
【００１６】
請求項７の発明によれば、回転体を覆いかつ飛翔性害虫の入口部を有するカバーを付設することにより、致命傷を負わせた飛翔性害虫を飛び散らかすことなく集めることができる。そのため、駆除効率が高く作業性も一段と良好な飛翔性害虫駆除装置を提供することができる。
【００１７】
請求項８の発明によれば、前記カバーに一端部が開口接続されており当該一端部から致命傷を負った飛翔性害虫を受け入れて他端部まで案内し当該他端部から虫廃棄場所へ排出可能な排出管を設けたので、当該排出管を利用することにより、例えば屋内に設置した回転体周辺を汚すことなく屋外に設置した虫廃棄場所へ飛翔性害虫を排出することができる。これにより、屋内の衛生環境を損なうことなく素早く後片付けができる。また、致命傷を負った害虫（例えばカメムシ）から発する嫌な臭いが屋内に漂うことがなくなるとともに、蛾の鱗粉や旅館などでの布団の上げ下ろしの際に発生する埃等が回転体やカバー等に付着するのが効果的に防止される。したがって、駆除効率が高く作業性も一段と良好となる。
【発明を実施するための最良の形態】
【００１８】
以下、本発明の実施の形態を図面を参照しながら説明する。
【００１９】
本発明に係る飛翔性害虫駆除装置は、図１に示すように、飛翔性害虫を誘引する光を発する発光源１０と、この発光源１０の周辺に配設された回転体２０と、この回転体２０を回転駆動する駆動手段３０とを備え、回転体２０が回転駆動された状態下で発光源１０に向かって飛んできた飛翔性害虫が当該回転体２０と接触した場合には、当該害虫は当該回転体２０の回転エネルギを受けて致命傷を負うように構成されている。
【００２０】
本飛翔性害虫駆除装置は、屋外（例えば、公園，街路灯周辺，工場の夜間灯周辺，農地，駐車場，池や川沿いの路，山林の中，ガソリンスタンド，公衆便所など）および屋内（食品工場内，飛翔性害虫の多い作業所，畜舎内，魚屋・肉屋・スーパーマーケットの店内など）のいずれにも設置可能とされている。駆除の対象となる虫は、カメムシ，シロアリ（羽アリ），蛾などの飛翔可能で正の走光性を有する害虫である。
【００２１】
より詳しくは、本飛翔性害虫駆除装置は、図１に示すように、床面９等に設置可能な基台４２および当該基台４２に立設された支柱４３からなる支持部４１を有している。支柱４３上部には、ホルダ３５を介して駆動手段３０としての電気モータ３１が固設されている。この電気モータ３１は、商用の交流電源から供給される電気によって主軸３２が高速回転するものとされている。なお、交流電源が使用できない場合には、駆動手段３０としてバッテリ等の直流電源で回転駆動する電気モータを使用するものとされている。
【００２２】
次に、発光源１０は、円環状の蛍光灯１１から形成されている。この蛍光灯１１は、取付用円板１５および複数の固定具１６を介して電気モータ３１のホルダ３５に固定されている。なお、本飛翔性害虫駆除装置が、例えば上記した工場の夜間灯に設置される場合には、発光源１０として当該夜間灯を利用してもよい。
【００２３】
次に、回転体２０は、駆動手段３０（電気モータ３１）によって軸線を中心として回転駆動される回転軸２１と、この回転軸２１に基端部が固定された回転翼２２とから構成されている。この実施形態では、回転軸２１は、電気モータ３１の主軸３２から形成されており、当該回転軸２１の先端部には所定個数（ここでは、４個）の回転翼２２を保持するための保持部材２５が固定されている。４個の回転翼２２は、それぞれの基端部が保持部材２５に９０°間隔で取り付けられている。各回転翼２２は、プラスチック製とされ横断面長方形状の細棒状に形成されている。  特に、この実施形態では、各回転翼２２は、図３に示すように、回転時には発光源１０（蛍光灯１１）に向かう空気流を発生する形態（ひねり角θ）とされている。
【００２４】
また、本飛翔性害虫駆除装置では、上記回転体２０を覆いかつ飛翔性害虫の入口部５２を有するカバー５１が設けられている。このカバー５１は、透明または半透明のプラスチック製とされており、回転体２０のみならず発光源１０（蛍光灯１１）も覆うように形成されている。このカバー５１の入口部５２は、回転体２０を挟んで発光源１０（蛍光灯１１）と対向するように大きく開口形成されている。なお、カバー５１は、入口部５２以外からは飛翔性害虫が蛍光灯１１に近づけず、かつ、回転体２０の後ろに回り込んで蛍光灯１１に近づき難いように形成されている。
【００２５】
この実施形態では、上記した各構成要素（１０，２０，３０，４０，５０等）は、すべて屋内（食品工場内）に設置されている。
【００２６】
また、本飛翔性害虫駆除装置では、上記カバー５１に一端部６２が開口接続されており当該一端部６２から致命傷を負った飛翔性害虫を受け入れて他端部６３まで案内し当該他端部６３から虫廃棄場所（例えば、虫収容バケツ７１）へ排出可能な排出管６１が設けられている。この排出管６１は、その他端部６３が一端部６２よりも低位置とされ、かつ、途中部分が下方へ向けて傾斜するように形成されている。ここで、虫廃棄場所（７１）は屋外に設けられており、上記排出管６１は屋内にあるカバー５１から致命傷を負った飛翔性害虫を虫廃棄場所（７１）まで案内する役目を果たす。
【００２７】
詳しくは、カバー５１内で回転翼２２によって生成された空気流の大半は、排出管６１の一端部６２へ流れ込む。そのため、回転翼２２と接触して致命傷を負った飛翔性害虫は、上記空気流によって運ばれて排出管６１の一端部６２に入り込み、その自重で当該管６１内を移動して、当該管６１の他端部６３から虫廃棄場所（７１）へ排出される。
【００２８】
次に、この実施形態の作用について説明する。
【００２９】
電気モータ３１に電気を供給して主軸３２を高速回転させると、各回転翼２２が同期して高速回転される。その状態で、蛍光灯１１を点灯して発光させると、飛翔性害虫は光に誘引されて蛍光灯１１に向かって飛んでくる。そして、飛翔性害虫は、カバー５１の入口部５２を見つけると、当該入口部５２からカバー５１内へ入りこみ蛍光灯１１めがけて飛行する。
【００３０】
この際、飛翔性害虫は、カバー５１によって飛行に制約を受けて回転翼２２の後ろへ回りこむ進路が採り難いとともに、回転翼２２によって生成される空気流によって吸い込まれるため、当該回転翼２２へ向かって飛ぶことになる。そのため、飛翔性害虫は、蛍光灯１１の手前で回転中の回転翼２２と接触し、当該回転翼２２の回転エネルギを受けて致命傷を負う。これにより、飛翔性害虫は、即死したり羽根が破壊されて飛行不能になるなどしてカバー５１内面の底部に落下する。そして、飛翔性害虫は、回転翼２２が起こす気流によって排出管６１の一端部６２まで運ばれて管内に入り込み、当該管６１内を移動して他端部６３から虫廃棄場所（７１）へ排出される。
【００３１】
而して、本飛翔性害虫駆除装置は、発光源１０の周辺に配設された回転体２０の回転エネルギを利用して飛翔性害虫に致命傷を負わせる構成であるので、仮に回転体２０に蛾の鱗粉や水・油などが付いても駆除性能は低下しない。また、回転体２０と接触した飛翔性害虫は回転体２０から跳ね飛ばされるので、当該回転体２０に害虫が付着することはなく、回転体２０の清掃を特別する必要はない。したがって、駆除効率が高く作業性も良好となる。
【００３２】
また、回転体２０が、回転軸２１と、この回転軸２１に基端部が固定された回転翼２２とから構成されているので、容易に軽量化して高速回転を実現することができる。これにより、飛翔性害虫に与える回転エネルギを大きくできる。また、回転翼２２の回転半径を大きくしても、当該回転翼２２は細い棒状であり高速回転するので、発光源１０から発せられる光を遮る量を極力小さく抑えることができる。したがって、飛翔性害虫の駆除効率を一段と高めることができる。
【００３３】
また、回転翼２２が回転時には発光源１０に向かう空気流を発生する形態とされているので、発光源１０に向かって飛んできた飛翔性害虫は、回転翼２２に吸い寄せられることになり、一段と回転翼２２に当たって致命傷を負う確率が高まることになる。そのため、一段と駆除効率が高く作業性も良好となる。
【００３４】
また、回転体２０を覆いかつ飛翔性害虫用の入口部５２を有するカバー５１を設けたので、致命傷を負わせた飛翔性害虫を飛び散らかすことなく集めることができる。そのため、駆除効率が高く作業性も一段と良好となる。
【００３５】
また、カバー５１に一端部６２が開口接続されており当該一端部６２から致命傷を負った飛翔性害虫を受け入れて他端部６３まで案内し当該他端部６３から虫廃棄場所（７１）へ排出可能な排出管６１を設けたので、当該排出管６１を利用することにより、例えば屋内に設置した回転体２０周辺を汚すことなく屋外に設置した虫廃棄場所（７１）へ飛翔性害虫を排出することができる。これにより、屋内の衛生環境を損なうことなく素早く後片付けができる。また、致命傷を負った害虫（例えばカメムシ）から発する嫌な臭いが屋内に漂うことがなくなるとともに、蛾の鱗粉や旅館などでの布団の上げ下ろしの際に発生する埃等が回転体２０やカバー５１等に付着するのが効果的に防止される。したがって、駆除効率が高く作業性も一段と良好となる。
【００３６】
なお、上記した実施形態では、回転体２０を回転軸２１とこの回転軸２１に固定された回転翼２２とから形成したが、これに限定されるものではなく、回転エネルギによって飛翔性害虫に致命傷を負わせることができればどのように構成してもよい。
【００３７】
例えば、回転体２０を、図４に示すように、駆動手段（図示省略）によって軸線を中心として回転駆動されるとともにその側面２３ａが粗く形成された回転板２３から構成してもよい。この際、回転板２３は、不透明の場合にはその直径を円環状の蛍光灯１１よりも小さく形成し、透明または半透明とする場合には当該蛍光灯１１よりも大きくすれば、飛翔性害虫の駆除効率を一段と高めることができる。かかる構成とすることにより、構成の簡易化を図りつつ一段と駆除効率が高く作業性も良好となる。
【００３８】
また、回転体２０を、図６〜図８に示すように、側面２４ａまたは外端面２４ｂに複数の突起（２６Ａ，２６Ｂ，２６Ｃ，２６Ｄ）を設けた回転板２４から構成してもよい。例えば、図６は、回転板２４の側面２４ａおよび外端面２４ｂに針状の突起２６Ａを多数設けたものである（なお、突起２６Ａは一部のみ図示する）。また、図７は、回転板２４の側面２４ａにダイコンの下ろし金状の突起２６Ｂを多数設けたものである（突起２６Ｂは一部のみ図示する）。また、図８は、回転板２４の外端面２４ｂに三角歯状の突起２６Ｃを設けたものである（突起２６Ｃは一部のみ図示する）。なお、図９は、回転板２４の側面２４ａに段差部を有する突起２６Ｄを設けたものである。図６〜図９に示す構成とすることにより、良好な作業性を維持しつつ駆除効率を一段と高めることができる。
【００３９】
また、回転体２０を、図５に示すように、回転板２７と、この回転板２７の側面２７ａの所定部位に基端部が回転自在に取り付けられた回転翼２８とから構成してもよい。なお、図５では、回転翼２８は３個であるが、この個数に限定されることはなく、１個でも２個でも４個以上でもよい。かかる構成とすることにより、飛翔性害虫に致命傷を負わせることができる範囲を一段と広げることができる。そのため、良好な作業性を維持しつつ駆除効率を一段と高めることができる。
【図面の簡単な説明】
【００４０】
【図１】本発明に係る飛翔性害虫駆除装置を説明するための正面図である。
【図２】回転体の取り付け状況を説明するための側面図である。
【図３】回転翼の形態を説明するための図である。
【図４】回転体の変形例（１）を説明するための図である。
【図５】回転体の変形例（２）を説明するための図である。
【図６】回転体の変形例（３）を説明するための図である。
【図７】回転体の変形例（４）を説明するための図である。
【図８】回転体の変形例（５）を説明するための図である。
【図９】回転体の変形例（６）を説明するための図である。
【符号の説明】
【００４１】
９    床面
１０    発光源
１１    蛍光灯
１５    取付用円板
１６    固定具
２０    回転体
２１    回転軸
２２    回転翼
２３    回転板
２３ａ    側面
２４    回転板
２４ａ    側面
２４ｂ    外端面
２５    保持部材
２６Ａ    〜２６Ｄ  突起
２７    回転板
２７ａ    側面
２８    回転翼
３０    駆動手段
３１    電気モータ
３２    主軸
３５    ホルダ
４１    支持部
４２    基台
４３    支柱
５１    カバー
５２    入口部
６１    排出管
６２    一端部
６３    他端部
７１    虫収容バケツ
【図１】
2005253433.tif 000003
【図２】
2005253433.tif 000004
【図３】
2005253433.tif 000005
【図４】
2005253433.tif 000006
【図５】
2005253433.tif 000007
【図６】
2005253433.tif 000008
【図７】
2005253433.tif 000009
【図８】
2005253433.tif 000010
【図９】
2005253433.tif 000011